(57)【特許請求の範囲】
【請求項１】
液晶表示部の背面側に複数配列された光源により前記液晶表示部を背面から照明し、該光源がその配置位置に応じた所定の区分ごとに独立して点滅可能に構成された液晶表示装置であって、
前記液晶表示部を、映像が表示される有映像領域と映像が表示されない無映像領域とに区分された表示状態である一部無映像表示状態にさせる一部無映像表示制御手段と、
前記無映像領域を照明する前記光源を所定のデジタル信号に従って人の視覚の不感帯となる周波数で点滅させることにより該デジタル信号を外部装置に対して光送信を行う光デジタル信号送信手段と、
を具備してなることを特徴とする液晶表示装置。
【請求項２】
前記液晶表示部に表示中の映像に対応した音声信号を変調することにより、前記光デジタル信号送信手段により光送信される前記デジタル信号を生成する音声信号変調手段を具備してなる請求項１に記載の液晶表示装置。
【請求項３】
前記一部無映像表示制御手段により前記液晶表示部に表示中の映像に対応する音声信号を、所定の音声出力手段を通じて音声出力させるとともに、これと同じ音声信号が前記音声信号変調手段により変調されたデジタル信号を前記光デジタル信号送信手段を通じて光送信させる第１の音声出力制御手段を具備してなる請求項２に記載の液晶表示装置。
【請求項４】
前記一部無映像表示制御手段により前記有映像領域に２つの異なる映像が表示されている場合に、その一方の映像に対応する音声信号を所定の音声出力手段を通じて音声出力させるとともに、他方の映像に対応する音声信号が前記音声信号変調手段により変調されたデジタル信号を前記光デジタル信号送信手段を通じて光送信させる第２の音声出力制御手段を具備してなる請求項２又は３のいずれかに記載の液晶表示装置。
【請求項５】
前記一部無映像表示制御手段により前記液晶表示部に表示されている映像に対応する音声信号が２つ存在する場合に、その一方の音声信号を所定の音声出力手段を通じて音声出力させるとともに、他方の音声信号が前記音声信号変調手段により変調されたデジタル信号を前記光デジタル信号送信手段を通じて光送信させる第３の音声出力制御手段を具備してなる請求項２〜４のいずれかに記載の液晶表示装置。
【請求項６】
前記光デジタル信号送信手段が、前記無映像領域を照明する前記光源を複数に区分し、区分した前記光源ごとに異なる前記デジタル信号を光送信可能に構成されてなる請求項１〜５のいずれかに記載の液晶表示装置。
【請求項７】
前記光源が、少なくともその発光色ごとに独立して点滅可能な赤色の光源、緑色の光源及び青色の光源を具備してなる請求項１〜６のいずれかに記載の液晶表示装置。
【請求項８】
前記光デジタル信号送信手段が、前記液晶表示部の表示色の設定及び前記光源の発光色の設定により、赤色若しくは青色の光によって前記デジタル信号を送信してなる請求項１〜７のいずれかに記載の液晶表示装置。
【請求項９】
前記光デジタル信号送信手段による光送信の対象となる前記デジタル信号に、外部装置の制御用信号が変調されたデジタル信号が含まれてなる請求項１〜８のいずれかに記載の液晶表示装置。
【請求項１０】
前記光源がＬＥＤである請求項１〜９のいずれかに記載の液晶表示装置。
【請求項１１】
請求項１〜１０のいずれかに記載の液晶表示装置と、
前記液晶表示装置により光送信されるデジタル信号を受信する光デジタル信号受信手段、及び該光デジタル信号受信手段により受信された前記デジタル信号に基づく処理を実行する信号処理手段を備えた外部装置と、
を具備してなることを特徴とする液晶表示システム。
【請求項１２】
前記外部装置の前記信号処理手段が、
音声信号が変調された前記デジタル信号を復調する音声信号復調手段と、該音声信号復調手段により復調された信号に基づく音声を出力する音声出力手段と、を具備してなる請求項１１に記載の液晶表示システム。
【発明の詳細な説明】
【技術分野】
【０００１】
本発明は、液晶パネルの背面側に複数配列された光源によりその液晶パネルを背面から照明する液晶表示装置及びこれを備えた液晶表示システムに関するものである。
【背景技術】
【０００２】
液晶表示装置は、液晶表示部（液晶パネル）をその背面から照明するバックライト（背面照明手段）を備える。また、このバックライトの光源としては、一般的に、赤、緑及び青の各波長の光の合成光を発光する蛍光管（冷陰極管）が採用される。
ここで、蛍光管をバックライトの光源とした場合、人間の目の色感度を基準として適正と考えられるホワイトバランスに対し、赤色の波長帯の光の強度がやや不足する傾向にある。そこで、色再現性の向上を目的として、特許文献１に示されるように、赤、緑及び青の各波長の光を発光する複数色のＬＥＤが配列されたＬＥＤ型のバックライトや、特許文献２に示されるように、従来の蛍光管と赤色波長の光を補う赤色ＬＥＤとの両方が配列されたハイブリッド型のバックライト等が採用されることがある。なお、ＬＥＤは、蛍光管よりも寿命が長いというメリットもある。
一方、特許文献３には照明器具の光源であるＬＥＤにより、変調されたデータを光送信する技術が示されている。これは、比較的高い周波数で点滅可能なＬＥＤの特性を活かし、変調されたデジタルデータをＬＥＤの点滅により光送信するものである。
【特許文献１】特開平０９−１４６０８９号公報
【特許文献２】特開２００４−１３９８７６号公報
【特許文献３】特開２００３−３１８８３６号公報
【発明の開示】
【発明が解決しようとする課題】
【０００３】
ところで、液晶表示装置は、出力映像（表示映像）に対応した音声を出力するスピーカを備えるものが多い。このような液晶表示装置を用いて映画や音楽番組を鑑賞する場合、より臨場感を高めるためにスピーカ出力の音量が高く設定されることがある。しかしながら、スピーカ出力の音量が高く設定されると、その出力音声が近隣の騒音になるという問題点があった。
また、液晶表示装置により出力される映像及び音声を、難聴者とそうでない非難聴者とが一緒に視聴する場合、音量を非難聴者に合わせて設定すると難聴者がその音声を聴くことができず、難聴者に合わせて設定すると近隣の騒音になるという問題点があった。もちろん、難聴者がいわゆる補聴器を装着することも考えられるが、一般的な補聴器は、音楽等を高音質で聴くことには適していない。
また、昨今の液晶表示装置は、複数のテレビ番組の映像の同時表示、或いはパーソナルコンピュータ等の計算機の出力映像とテレビ番組の映像との同時表示等を行うマルチ映像表示機能（或いはマルチ画面表示機能）を備えるものがある。このような液晶表示装置は、マルチ映像表示を行っている場合、音声の混信防止のため、表示中のいずれか１つの映像に対応した音声のみをスピーカ出力するものが一般的である。しかしながら、そのような液晶表示装置は、マルチ映像表示機能を活かしてそれ１台で複数人が各々異なる映像及び音声を楽しむことができないという問題点があった。
【０００４】
以上のような現状に対し、例えば表示中のいずれか１つの映像に対応した音声をスピーカから出力し、他の映像に対応した音声の信号を外部出力端子（いわゆるヘッドホン端子）に出力することが考えられる。しかしながら、外部出力端子にヘッドホンの端子を接続して音声を聴く場合、ケーブルの取り扱いが煩わしいという問題点があった。特に、昨今の大画面の液晶表示装置では、利用者は比較的離れた位置で映像を見ることになるため、長いケーブルの取り扱いの煩わしさがより顕著となる。また、ヘッドホンに出力する音声信号を無線送信することも考えられる。しかしながら、電波や赤外線等により音声信号の無線送信を行う場合、液晶表示装置に新たな無線送信機器を設けなければならず、装置の複雑化及び高コスト化や、消費電力の増大を招くという問題点があった。
一方、一般に、照明手段の光源を比較的高い周波数（例えば、５０Ｈｚ以上）で点滅させた場合、人間の視覚ではその点滅を感知できず、光源が点灯し続けている場合とほとんど区別がつかない。しかしながら、液晶表示装置では、バックライト（背面照明手段）の点灯状態が、表示映像の画質にダイレクトに影響する。従って、有映像領域を照明する光源を、信号の光送信のために点滅させると、それが例え高周波数での点滅であっても、少なからず画質の劣化につながる恐れがあるという問題点があった。さらに、動画を表示中の領域のバックライト光源が点滅すると、利用者の目の疲れの原因になるという問題点も考えられる。
従って、本発明は上記事情に鑑みてなされたものであり、その目的とするところは、液晶表示部（液晶パネル）のバックライトに、人の視覚の不感帯となる周波数で点滅可能なＬＥＤ等の光源が用いられる場合に、その光源を有効活用して、画質の劣化や見る人の目の疲れという問題を回避しつつ、所定の信号（表示中の映像に対応した音声信号がその典型例）をヘッドホン等の外部装置に光送信でき、これによって各種の利便性を高めることができる液晶表示装置及びこれを備えた液晶表示システムを提供することにある。
【課題を解決するための手段】
【０００５】
上記目的を達成するために本発明は、液晶表示部（液晶パネル）の背面側に複数配列された光源（ＬＥＤがその典型例）によってその液晶表示部を背面から照明し、その光源がその配置位置に応じた所定の区分ごとに独立して点滅可能に構成された液晶表示装置或いはこれを構成要素とする液晶表示システムに適用されるものである。その特徴的構成は、以下の通りである。
即ち、本発明に係る液晶表示装置は、その液晶表示部を、映像が表示される有映像領域と映像が表示されない無映像領域とに区分された表示状態（以下、一部無映像表示状態という）にさせる一部無映像表示制御手段と、その無映像領域を照明する前記光源を所定のデジタル信号に従って人の視覚の不感帯となる周波数で点滅させることにより、そのデジタル信号を外部装置に対して光送信（可視光による信号送信）を行う光デジタル信号送信手段とを具備することである。この場合、前記外部装置は、前記液晶表示装置により光送信されるデジタル信号を受信する光デジタル信号受信手段と、これにより受信された前記デジタル信号に基づく処理を実行する信号処理手段とを備える。なお、前記液晶表示システムは、前記液晶表示装置と前記外部装置とを備えてなるものである。
このような構成によれば、映像が表示されない無映像領域（いわゆるレターボックスの領域）を照明する光源の点滅により、デジタル信号の光送信が行われるので、画質の劣化を招かない。また、利用者が集中して見る映像（典型例としては動画）の表示領域については、バックライトの光源が点滅しないので、利用者の目の疲れの原因にもなりにくい。
【０００６】
また、前記液晶表示部に表示中の映像に対応した音声信号を変調することにより、前記光デジタル信号送信手段により光送信される前記デジタル信号を生成する音声信号変調手段を具備するものが考えられる。この場合、前記外部装置の前記信号処理手段は、音声信号が変調された前記デジタル信号を復調する音声信号復調手段と、これにより復調された信号に基づく音声を出力する音声出力手段とを具備して構成される。このときの外部装置としては、出力音声が外部に漏れないヘッドホン装置として構成されたものが好適である。
これにより、音声出力手段（スピーカ）を備えた前記外部装置を利用者の身近に（耳元に）配置すれば、近隣に漏れる騒音を抑えつつ、利用者は実質的に高い音量で音声を聴くことができる。
【０００７】
前記音声信号変調手段を備える場合、以下のような液晶表示装置も考えられる。
例えば、前記一部無映像表示制御手段により前記液晶表示部に表示中の映像に対応する音声信号を、所定の音声出力手段（スピーカ）を通じて音声出力させるとともに、これと同じ音声信号が前記音声信号変調手段により変調されたデジタル信号を前記光デジタル信号送信手段を通じて光送信させる手段（第１の音声出力制御手段）を備えたものである。
これにより、当該液晶表示装置により出力される映像及び音声を、難聴者とそうでない非難聴者とが一緒に視聴する場合や、当該液晶表示装置の近くに居る人と遠くに居る人とが一緒に視聴する場合等に、各視聴者がそれぞれに適した音量で音声を聴くことができる。この場合、難聴者や遠くに居る人が、その身近に（耳元に）、ヘッドホン装置等である前記外部装置を配置することになることはいうまでもない。
【０００８】
また、前記一部無映像表示制御手段により前記有映像領域に複数の異なる映像が表示されている場合（いわゆるマルチ映像表示がなされている場合）に、その一部の映像に対応する音声信号を所定の音声出力手段（スピーカ）を通じて音声出力させるとともに、他の映像に対応する音声信号が前記音声信号変調手段により変調されたデジタル信号を前記光デジタル信号送信手段を通じて光送信させる手段（第２の音声出力制御手段）を備えたものも考えられる。
これにより、当該液晶表示装置のマルチ映像表示機能を活かして、複数人が各々異なる映像及び音声を視聴することができる。
また、前記一部無映像表示制御手段により前記液晶表示部に表示されている映像に対応する音声信号が複数存在する場合に、その一部の音声信号を所定の音声出力手段を通じて音声出力させるとともに、他の音声信号が前記音声信号変調手段により変調されたデジタル信号を前記光デジタル信号送信手段を通じて光送信させる手段（第３の音声出力制御手段）を備えたものも考えられる。
これにより、例えば、表示中の映像に対応する主音声を聴く人と副音声を聴く人とが、１台の当該液晶表示装置を同時に利用できる。
【０００９】
また、前記光デジタル信号送信手段が、前記無映像領域を照明する前記光源を複数に区分し、区分した前記光源ごと（区分ごと）に異なる前記デジタル信号を光送信可能に構成されたものも考えられる。
これにより、例えば表示中の映像に対応するステレオ音声信号のＬチャンネル信号とＲチャンネル信号とを個別に光送信したり、主音声信号と副音声信号とを個別に光送信したりすることができ好適である。
ここで、前記光源としては、例えば、少なくともその発光色ごとに独立して点滅可能な赤色の光源、緑色の光源及び青色の光源を具備するものが考えられる。
【００１０】
ところで、人間の目の視感度は、波長５５５ｎｍの光（緑色の光）に対して最大である。このため、前記無映像領域を緑色にして前記デジタル信号の光送信を行うと、利用者は非常に眩しく感じる。
そこで、前記光デジタル信号送信手段としては、前記液晶表示部の表示色の設定及び前記光源の発光色の設定により、赤色若しくは青色の光によって前記デジタル信号を送信するものが好適である。
以上、前記デジタル信号が音声信号が変調されたデジタル信号である場合を中心に述べてきたが、これに限るものではない。例えば、前記光デジタル信号送信手段による光送信の対象となる前記デジタル信号に、外部装置の制御用信号が変調されたデジタル信号が含まれる場合も考えられる。
【発明の効果】
【００１１】
本発明によれば、映像が表示されない無映像領域（いわゆるレターボックスの領域）を照明する光源の点滅によってデジタル信号の光送信が行われるので、表示中の映像の画質劣化を招かない。また、利用者が集中して見る映像の表示領域については、バックライトの光源が点滅しないので、利用者の目の疲れの原因にもなりにくい。しかも、このような構成の実現には、無線信号（電波や赤外線）の出力手段を新たに設ける必要がなく、装置の複雑化及び高コスト化や、消費電力の増大という問題の発生を回避できる。
【００１２】
また、前記液晶表示部に表示中の映像に対応した音声信号を変調することにより、前記光デジタル信号送信手段により光送信される前記デジタル信号を生成する手段が設けられたものであればなお好適である。この場合、その送信信号を受信及び復調して音声出力する外部装置を利用者の身近に（耳元に）配置すれば、近隣に漏れる騒音を抑えつつ、利用者は実質的に高い音量で音声を聴くことができる。特に、映画や音楽番組を高い臨場感をもって視聴したい場合等に好適である。
さらに、表示中の映像に対応する音声信号を、音声出力手段を通じて音声出力するとともに、同じ音声信号を変調して光送信するものであれば、難聴者及びそうでない非難聴者、或いは液晶表示装置の近くに居る人及び遠くに居る人が一緒に視聴する場合等に、各視聴者がそれぞれに適した音量で音声を聴く上で好適である。
また、当該液晶表示装置がマルチ映像表示を行っている場合に、ある映像に対応する音声信号を音声出力手段を通じて音声出力するとともに、他の映像に対応する音声信号を変調して光送信するものであれば、当該液晶表示装置のマルチ映像表示機能を活かし、複数人が各々異なる映像及び音声を視聴することができ好適である。
また、表示中の映像に対応する複数の音声信号（例えば、主音声信号と副音声信号）のうち、一部を音声出力手段を通じて音声出力するとともに、他を変調して光送信するものであれば、各々異なる音声を聴きたい利用者が一緒に当該液晶表示装置を同時に利用でき好適である。
また、外部装置の制御用信号が変調されたデジタル信号を光送信の対象とすれば、前記液晶表示部に各種のメニュー映像を表示させつつ、当該液晶表示装置を通じて様々な外部装置のリモート操作が可能となる。その結果、各外部装置の操作性が高まる。
【発明を実施するための最良の形態】
【００１３】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶表示装置の一例である液晶テレビジョン受像機Ｘの概略構成を表すブロック図、図２は液晶テレビジョン受像機Ｘが備えるＬＥＤパネル（バックライトパネル）を正面から見た模式図、図３は液晶テレビジョン受像機Ｘから光信号を受信する外部装置の一例であるヘッドホン装置Ｙの概略構成図、図４は液晶テレビジョン受像機Ｘにおける音声光送信制御の手順を表すフローチャートである。
【００１４】
まず、図１に示すブロック図を用いて、本発明の実施形態に係る液晶表示装置の一例である液晶テレビジョン受像機Ｘ（以下、液晶テレビＸという）の構成について説明する。
液晶テレビＸは、アンテナ等により受信されたテレビジョン放送信号から抽出される放送番組に関する映像信号或いは外部から入力された映像信号を、液晶パネル２１（液晶表示部）に入力させ、その映像信号に基づく映像を液晶パネル２１により表示するものである。同時に、液晶パネル２１に表示する映像信号に対応する音声信号を、スピーカ２３から音声出力するとともに、外部装置であるヘッドホン装置Ｙに対し、液晶パネル２１を背面照明するＬＥＤ１４により光送信する機能を備えたものである。なお、液晶テレビＸ及びヘッドホン装置Ｙにより、本発明の実施形態に係る液晶表示システムの一例が構成されている。
図１に示すように、液晶テレビＸは、複数のチューナ１ａ、１ｂ、１ｃ、外部入力部２、映像セレクタ３、映像処理回路４、無映像領域検知回路５、操作キー６、リモコン７、制御回路８、リモコンインターフェース（Ｉ／Ｆ）回路９、液晶パネル２１、ＬＥＤパネル１３、ＬＥＤ駆動回路１５、明るさセンサ１６、音声セレクタ１０、音声処理回路１１、音声変調回路１２、ゲイン調節可能なアンプ２２、及びスピーカ２３等を具備して構成されている。
【００１５】
前記チューナ１ａ、１ｂ、１ｃは、各々地上波放送信号、ＢＳ衛星放送信号及びＣＡＴＶ放送信号の各々が入力され、入力された各放送信号から前記制御回路８により指示される放送チャンネルの信号を抽出（選局）するとともに、その抽出信号の検波によって映像信号及び音声信号を取り出し、その映像信号及び音声信号の各々を前記映像セレクタ３及び前記音声セレクタ１０各々へ伝送するものである。
また、前記外部入力部２は、外部からコンポジット方式或いはセパレート方式の映像信号及び音声信号等である外部入力映像信号及び外部入力音声信号を入力し、それらを前記映像セレクタ３及び前記音声セレクタ１０各々へ伝送するインターフェースである。
前記映像セレクタ３は、前記チューナ１ａ、１ｂ、１ｃ各々からの映像信号及び前記外部入力部２からの映像信号を入力し、それらの映像信号のうちの任意の１つ又は２つの映像信号を前記制御回路８からの指示に従って選択し、映像処理回路４に対して出力するものである。
【００１６】
前記映像処理回路４は、前記映像セレクタ３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理、複数の映像を併せたマルチ映像の信号生成処理等を行い、処理後の映像信号を前記液晶パネル２１に出力する。ここでは、便宜上、液晶パネル２１に１映像のみ表示させるシングル映像表示状態と、２つの映像を表示させるマルチ映像表示状態の２パターンが生じ得るものとする。以下、このマルチ映像表示状態における一方の映像を親映像、他方の映像を子映像と称する。よって、映像セレクタ３は、シングル映像表示状態にする場合の１つの親映像のみの選択、若しくはマルチ映像表示状態にする場合の親映像及び子映像の選択のいずれかを行う。
この映像処理回路４は、リモコン７を通じて指定される表示パターンによっては、液晶パネル２１の表示状態を、映像が表示される領域（以下、有映像領域という）と、映像が表示されない領域（以下、レターボックス領域という）とに区分された映像（以下、レターボックス有り映像という）の表示状態（一部無映像表示状態に相当）にさせる場合もある（一部無映像表示制御手段の一例）。
ここで、映像処理回路４は、レターボックス有り映像を出力する場合、前記レターボックス領域を２領域に区分し、一方が赤色のベタ表示、他方が青色のベタ表示となる映像を生成する。例えば、液晶パネル２１の全表示領域のうち、上下方向において、中央よりも上側に位置するレターボックス領域と、同下側の領域に位置するレターボックス領域とを色分けする。
【００１７】
前記無映像領域検知回路５は、液晶パネル２１に表示される映像の信号（映像処理回路４により生成される映像信号）に基づいて、液晶パネル２１に対する全表示領域のうち、前記レターボックス領域の有無、及びそのレターボックス領域の存在位置を検知する回路である。その検知結果（検知信号）は制御回路８へ伝送される。
また、前記液晶パネル２１は、映像処理回路４から出力される映像信号に基づく映像を表示するもの（液晶表示部）である。
また、前記ＬＥＤパネル１３は、液晶パネル２１を背面から照明するＬＥＤ型のバックライトである。
図２はＬＥＤパネル１３を正面から見た模式図である。このＬＥＤパネル１３は、液晶パネル２１の背面側に配置され、その液晶パネル２１の背面ほぼ全領域に渡って複数配列された赤色ＬＥＤ１４Ｒ、緑色ＬＥＤ１４Ｇ及び青色ＬＥＤ１４Ｂの３色のＬＥＤが所定の基板に取り付けられたものである。以下、３色のＬＥＤ１４Ｒ、１４Ｇ、１４Ｂを総称してＬＥＤ１４という。これらＬＥＤ１４の光によって、液晶パネル２１がその背面から照明される。
また、ＬＥＤ１４は、その配置位置に応じた所定の区分ごとに独立して点滅可能に構成されている。
図２に示す例では、３色のＬＥＤ１４Ｒ、１４Ｇ、１４Ｂ各々は、横方向に並ぶ１行ごとにほぼ均一に分布するよう配列され、その配列が複数行に渡っている。そして、ＬＥＤ１４は、後述するＬＥＤ駆動回路１５により、１行ごと且つ色ごと（配置位置に応じた区分の一例）に独立して点灯状態（点灯、消灯、明るさ）を制御可能に構成されている。
例えば、１行目については赤色ＬＥＤ１４Ｒのみを点滅させ、その他の色のＬＥＤは消灯させつつ、２行目については青色ＬＥＤ１４Ｂのみを点灯させ、その他の色のＬＥＤを消灯させる、といった制御が可能である。
なお、ここに示したＬＥＤ１４の区分は一例であり、２行ごと且つ色ごとに独立して点灯状態を制御可能とした構成等、他の構成も考えられる。
【００１８】
また、前記明るさセンサ１６は、液晶パネル２１の前面側の明るさ、即ち、当該液晶テレビＸの設置環境の明るさを検知するセンサである。この明るさセンサ１６は、ＬＥＤパネル１３を構成するＬＥＤ１４の明るさ（出力）制御に用いられる。
前記音声セレクタ１０は、前記チューナ１ａ、１ｂ、１ｃ各々からの音声信号及び前記外部入力部２からの音声信号が入力され、それらの音声信号のうちの任意の１つ若しくは２つの音声信号を、前記制御回路８からの指示に従って選択し、前記音声処理回路１１に出力するものである。この音声セレクタ１０により選択される１つ又は２つの音声信号は、いずれも映像セレクタ３により選択され、液晶パネル２１に表示される映像信号に対応する音声信号である。
また、この音声セレクタ１０により２つの音声信号が選択される場合、その一方はスピーカ２３を通じて音声出力される音声信号（以下、ＳＰ音声信号という）であり、他方はＬＥＤパネル１３を構成するＬＥＤ１４の点滅により、ヘッドホン装置Ｙに対してワイアレスで光送信される音声信号（以下、ＷＬ音声信号という）である。
【００１９】
音声処理回路１１は、制御回路８からの指示に従って、音声セレクタ１０から出力された音声信号（前記ＳＰ音声信号及び前記ＷＬ音声信号）に対して各種信号処理を行うものである。例えば、リモコン７を通じて設定された条件に従って、イコライズ処理やサラウンド処理等を行う。ここで、音声処理後の前記ＳＰ音声信号はアンプ２２に出力され、音声処理後の前記ＷＬ音声信号は前記音声変調回路１２に出力される。
前記アンプ２２は、音声処理回路１１による処理後の前記ＳＰ音声信号を、制御回路８からの指示に従って増幅或いは減衰させる処理を行い、処理後の前記ＳＰ音声信号を前記スピーカ２３に出力するものである。これにより、前記ＳＰ音声信号に基づく音声がスピーカ２３から出力される。
前記音声変調回路１２は、音声処理回路１１による処理後の前記ＷＬ音声信号（液晶パネル２１に表示中の映像に対応した音声信号）をデジタル化したデジタル信号を生成する回路である（音声信号変調手段の一例）。その際、音声変調回路１２は、前記ＷＬ音声信号を、人の視覚では光が点滅していることを知覚できない（不感帯となる）５０Ｈｚ以上の周波数で変調することによってデジタル信号を生成する。この音声変調回路１２により生成されたデジタル信号は、後述するように、ＬＥＤ駆動回路１５がＬＥＤパネル１３のＬＥＤ１４を制御することにより行われる光送信によって外部のヘッドホン装置Ｙに伝送される。
【００２０】
前記ＬＥＤ駆動回路１５は、ＬＥＤパネル１３に組み込まれた複数のＬＥＤ１４に対する供給電力を制御することにより、ＬＥＤ１４の点灯状態（点灯、消灯及び明るさ）を制御する回路である。
より具体的には、ＬＥＤ駆動回路１５は、例えば、制御回路８から出力される制御指令に従って、ＬＥＤ１４に対する供給電流を調節する電流調光方式により、ＬＥＤ１４の明るさ調節を行う。
さらに、ＬＥＤ駆動回路１５は、前記レターボックス領域（無映像領域）を照明するＬＥＤ１４を、前記ＷＬ音声信号が変調されたデジタル信号に従って人の視覚の不感帯となる周波数で点滅させることにより、そのデジタル信号をヘッドホン装置Ｙに対して光送信を行うものである（光デジタル信号送信手段の一例）。
即ち、ＬＥＤ駆動回路１５は、音声変調回路１２から供給されるデジタル信号（前記ＷＬ音声信号が変調されたデジタル信号）のＯＮ／ＯＦＦタイミングに従ってＬＥＤ１４を点滅させる。但し、ＬＥＤ駆動回路１５は、ＬＥＤパネル１３に組み込まれた複数のＬＥＤ１４のうち、前記レターボックス領域を照明する（レターボックス領域に対応する位置に存在する）ＬＥＤ１４のみを、前記デジタル信号に従って点滅させる。ここで、いずれのＬＥＤ１４が前記レターボックス領域を照明するものであるかについての情報は、前記制御回路８からＬＥＤ駆動回路１５に通知される。これにより、前記ＷＬ音声信号が変調されたデジタル信号が、外部のヘッドホン装置Ｙに対して光送信（可視光による信号送信）により伝送される。
【００２１】
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ｂが実行する処理において読み書き（参照又は書き込み）される設定情報を記憶するＥＥＰＲＯＭ８ｃ等を備え、当該液晶テレビＸ全体を制御するものである。
【００２２】
前記リモコンインターフェース回路９は、当該液晶テレビＸの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７のチャンネル選択キーに対する操作入力の情報が、前記リモコンインターフェース回路９を通じて前記制御回路８に入力される。さらに、制御回路８により、その操作入力情報に従って前記チューナ１ａ、１ｂ、１ｃのいずれかに対して選局するチャンネルが指定され、さらにそのチャンネルの映像が前記液晶パネル２１に表示されるように、映像セレクタ３が制御される。
同様に、音声出力パターンの選択が行われる場合、前記リモコン７の音声出力切替キーに対する操作入力の情報が、前記リモコンインターフェース回路９を通じて前記制御回路８に入力される。さらに、制御回路８により、その操作入力情報に応じた音声出力パターンとなるように、前記音声セレクタ１０が制御される。
また、リモコン７の操作により入力可能な情報の一部は、操作キー６の操作によっても入力可能である。
【００２３】
次に、図３に示す概略構成図を参照しつつ、ヘッドホン装置Ｙの構成について説明する。
ヘッドホン装置Ｙは、図３に示すように、Ｌチャンネル用受光器３１Ｌ、Ｒチャンネル用受光器３１Ｒ、音声信号復調回路３２、ゲイン調節可能なアンプ３３、Ｌチャンネル用スピーカ３４Ｌ及びＲチャンネル用スピーカ３４Ｒ等を備える。利用者は、このヘッドホン装置Ｙを、その両スピーカ３４Ｌ、３４Ｒが両耳に近接するように装着して用いる。
２つの受光器３１Ｌ、３１Ｒは、液晶テレビＸにより光送信されるデジタル信号を受信（受光）し、これを電気信号に変換するものである（光デジタル信号受信手段の一例）。これら受光器３１Ｌ、３１Ｒ各々は、検知する光の波長帯（受光色）が異なり、ステレオ音声信号である前記ＷＬ音声信号におけるＬチャンネル信号及びＲチャンネル信号各々に対応するデジタル信号に基づく光（変調光）を受光する。例えば、一方が赤色光の受光器であり、他方が青色光の受光器である。
音声信号復調回路３２は、両受光器３１Ｌ、３１Ｒを通じて受信されたデジタル信号（前記ＷＬ音声信号が変調されたデジタル信号）を復調し、元のＷＬ音声信号に変換する回路である（音声信号復調手段の一例）。
２つのスピーカ３４Ｌ、３４Ｒは、音声信号復調回路３２により復調された信号（前記ＷＬ音声信号のＬチャンネル信号とＲチャンネル信号とに相当）に基づく音声を出力する音声出力手段である。
これらの各構成要素は、不図示のバッテリから電力が供給される。
なお、音声信号復調回路３２及び２つのスピーカ３４Ｌ、３４Ｒが、受光器３１Ｌ、３１Ｒにより受信されたデジタル信号に基づく処理（音声出力処理）を実行する信号処理手段の一例である。
【００２４】
次に、図４に示すフローチャートを参照しつつ、当該液晶テレビＸにおける音声光送信制御の手順について説明する。以下、制御回路８により実行される処理は、その制御回路８のＭＰＵ８ａが所定の制御プログラムを実行することにより実現される。なお、図４に示す処理は、利用者によるリモコン７操作等により、当該液晶テレビＸが起動（電源ＯＮ）された場合や、タイマー起動設定等により予め設定された時刻に当該液晶テレビＸが自動起動した場合等に開始されるものとする。また、以下に示すＳ１、Ｓ２、…は、処理手順（ステップ）の識別符号を表す。
まず、制御回路８により、無映像領域検知回路５によって検知された前記レターボックス領域の位置に基づいて、そのレターボックス領域を照明するＬＥＤ１４（レターボックス領域に対応する背面側の位置のＬＥＤ１４）と、前記有映像領域を照明するＬＥＤ１４とが特定される（Ｓ１）。その際、制御回路８は、レターボックス領域を、ステレオ音声信号のＬ（左）チャンネル信号を光送信するための領域と、Ｒ（右）チャンネル信号を光送信するための領域との２つの領域に区分し、区分した領域（レターボックス領域の一部）ごとに、その領域を照明するＬＥＤ１４を特定する。
ここでは、制御回路８は、レターボックス領域のうち、映像処理回路４によって赤色と青色とに色分けされた各色の領域に区分する。
【００２５】
例えば、いわゆるワイド画面の液晶パネル２１がマルチ映像表示状態となった場合、図２に破線で示すように、親映像の表示領域２１ａ及び子映像の表示領域２１ｂの上側と下側に各々レターボックス領域２１ｃ、２１ｄが発生する。この場合、液晶パネル２１の全表示領域のうち、上下方向において、中央よりも上側に位置するレターボックス領域２１ｃをＬチャンネル信号用、同下側の領域に位置するレターボックス領域２１ｄをＲチャンネル信号用として区分する。
ここで、ステップＳ１での特定結果は、ＬＥＤ駆動回路１５に通知される。なお、制御回路８によるＬＥＤ１４の特定は、独立して点滅制御が可能な単位（区分）で行われる。
【００２６】
次に、制御回路８がＬＥＤ駆動回路１５を制御することにより、ステップＳ１での特定結果に基づいてＬＥＤ１４が点灯される（Ｓ２）。その際、前記有映像領域を照明するＬＥＤ１４は、白色で点灯（即ち、Ｒ、Ｇ、Ｂの全色点灯）される。また、前記レターボックス領域を照明するＬＥＤ１４は、Ｌチャンネル信号用の領域とＲチャンネル信号用の領域とで、異なる発光色に設定される。例えば、一方の領域では赤色ＬＥＤ１４Ｒのみを点灯させ、他方の領域では青色ＬＥＤ１４Ｂのみを点灯させる。例えば、図２に示す例では、有映像領域２１ａ及び２１ｂの背面側に位置するＬＥＤ１４については、全色（Ｒ、Ｇ、Ｂ）を点灯させる。また、上側のレターボックス領域２１ｃの背面に位置するＬＥＤ１４については、赤色ＬＥＤ１４Ｒのみを点灯させてＬチャンネル信号用とし、下側のレターボックス領域２１ｄの背面に位置するＬＥＤ１４については、青色ＬＥＤ１４Ｂのみを点灯させてＲチャンネル信号用とする。
さらに、制御回路８がＬＥＤ駆動回路１５を制御することにより、前記有映像領域を照明するＬＥＤ１４の明るさが調節される（Ｓ３）。即ち、制御回路８により、液晶パネル２１の前面側の明るさを検知する明るさセンサ１６の検知レベルに応じて、前記有映像領域の明るさが設定される。具体的には、液晶パネル２１の前面側が明るいほど前記有映像領域のＬＥＤ１４の明るさ（出力）を上げる。これにより、周囲の明るさとの関係で、相対的に液晶パネル２１の出力映像が暗すぎると感じられたり、明るすぎると感じられたりすることを防止できる。
【００２７】
次に、制御回路８により、液晶パネル２１に表示中の映像が、マルチ映像表示の状態であるか否かが判別される（Ｓ４）。ここで、マルチ映像表示とするか否かは、リモコン７等の操作入力（映像表示パターンの切替操作）に応じて制御回路８により決定される。従って、本ステップＳ４における判別に必要な情報は、制御回路８に予め保持されている。
次に、ステップＳ４での判別結果に応じて、以後に採用される音声出力パターンの候補を表す情報（以下、音声出力パターン候補情報という）が切り替えられる（Ｓ５、Ｓ６）。
ここでは、前記音声出力パターン候補情報には、第１候補情報と第２候補情報とが存在するものとする。ここで、第１候補情報は、シングル映像表示（親映像の表示のみ）の状態である場合に採用され（Ｓ５）、第２候補情報は、マルチ映像表示（親映像及び子映像の表示）の状態である場合に採用される（Ｓ６）。
これら第１候補情報及び第２候補情報の具体的内容については後述するが、第１候補情報は、採用され得る候補として第１パターン〜第４パターンの４つの音声出力パターンが設定され、第２候補情報は、採用され得る候補として第１パターン〜第５パターンの５つの音声出力パターンが設定された情報である。
いずれの候補情報が採用された場合も、デフォルトでは、音声出力パターンとして第１パターンが設定され、その設定内容に応じて、制御回路８により音声セレクタ１０が制御される。
【００２８】
次に、制御回路８により、現在設定されている音声出力パターンにおいて、前記ＷＬ音声信号の出力が設定されているか否か、即ち、音声セレクタ１０により音声変調回路１２に対して伝送される前記ＷＬ音声信号が選択されているか否かが判別される（Ｓ７）。
ここで、前記ＷＬ音声信号の出力が設定されていないと判別された場合、制御回路８が映像処理回路４を制御することにより、前記レターボックス領域の表示階調（液晶パネル２１による表示輝度）が、予め定められた通常の階調（最大階調より低い階調）に設定される（Ｓ８）。さらにこの場合、音声変調回路１２による前記ＷＬ音声信号の変調処理は行われず（処理停止）、さらに、ＬＥＤ駆動回路１５による前記レターボックス領域を照明するＬＥＤ１４の点滅処理も行われない（処理停止）（Ｓ９）。
【００２９】
一方、前記ＷＬ音声信号の出力が設定されていると判別された場合、制御回路８が映像処理回路４を制御することにより、前記レターボックス領域の表示階調が最大階調（ＭＡＸ階調）に設定される（Ｓ１０）。さらにこの場合、音声変調回路１２により前記ＷＬ音声信号の変調処理が行われるとともに、ＬＥＤ駆動回路１５により、変調後のデジタル信号に従って前記レターボックス領域を照明するＬＥＤ１４が点滅され、そのデジタル信号がヘッドホン装置Ｙに対して光送信される（Ｓ１１）。
その際、ＬＥＤ駆動回路１５は、レターボックス領域を照明するＬＥＤ１４のうち、ステップＳ１で区分されたＬチャンネル信号を光送信するための領域（例えば、図２の領域２１ｃ）のＬＥＤ１４と、Ｒチャンネル信号を光送信するための領域（例えば、図２の領域２１ｄ）のＬＥＤ１４との区分し、Ｌチャンネル用領域のＬＥＤ１４の点滅によりＬチャンネルの音声信号を、Ｒチャンネル用領域のＬＥＤ１４の点滅によりＲチャンネルの音声信号を各々個別に光送信する。
その際、映像処理回路４による液晶パネル２１におけるレターボックス領域の表示色の設定と、ＬＥＤ駆動回路１５によるＬＥＤ１４の点灯色（発光色）の設定とにより、赤色若しくは青色の光によって前記デジタル信号の光送信がなされる。例えば、Ｌチャンネルの音声信号については赤色、Ｒチャンネルの音声信号については青色で光送信する。
これにより、光送信の光強度を強くしても、利用者に眩しさを感じさせにくい。
【００３０】
次に、制御回路８により、リモコンインターフェース回路９を通じて入力される情報に基づいて、リモコン７に設けられた音声切替キーの入力操作がなされたか否かが判別される（Ｓ１２）。
ここで、音声切替キーの操作がなされたと判別された場合、制御回路８により、ステップＳ５又はＳ６で設定された前記音声出力パターン候補情報（前記第１候補情報又は前記第２候補情報）に基づいて、音声出力パターンの設定（前記第１パターン、第２パターン等の設定）が変更されるとともに、その変更後の設定内容に従って、音声セレクタ１０の切り替え制御がなされる（Ｓ１３）。具体的には、１回の音声切替キーの操作が検知されるごとに、音声出力パターンの候補情報に含まれる候補の中から、予め定められた順序で音声出力パターンが順次切り替えられる。
そして、ステップＳ１２において、音声切替キーの操作がなかったと判別された場合、或いはステップＳ１３の処理が行われた場合は、ステップＳ１へ処理が戻され、前述した処理が繰り返される。
【００３１】
ところで、ステップＳ１３では、制御回路８により、音声出力パターンの設定内容（切替内容）に応じて以下に示す制御がなされる。
まず、音声出力パターンとして、前記第１候補情報の第１パターンが設定されている場合、以下のような制御がなされる。
この場合、シングル映像表示（親映像の表示のみ）の状態であるので、その親映像に対応する音声信号が、前記ＳＰ音声信号としてのみ出力（スピーカ２３により出力）されるよう、音声セレクタ１０が制御される。
また、音声出力パターンとして、前記第１候補情報の第２パターンが設定されている場合、以下のような制御がなされる。
この場合も、親映像のみの表示状態であり、その親映像に対応する音声信号が、前記ＳＰ音声信号として出力されると同時に、前記ＷＬ音声信号としても出力（光送信による無線出力）されるよう、音声セレクタ１０が制御される。
即ち、制御回路８は、液晶パネル２１に表示中の親映像に対応する音声信号を、スピーカ２３を通じて音声出力させるとともに、これと同じ音声信号が音声変調回路１２により変調されたデジタル信号を、ＬＥＤ駆動回路１５（光デジタル信号送信手段）を通じて光送信させる（第１の音声出力制御手段の一例）。
これにより、当該液晶テレビＸにより出力される映像及び音声を、難聴者とそうでない非難聴者とが一緒に視聴する場合や、当該液晶テレビＸの近くに居る人と遠くに居る人とが一緒に視聴する場合等に、各視聴者がそれぞれに適した音量で音声を聴くことができる。
【００３２】
また、音声出力パターンとして、前記第１候補情報の第３パターンが設定されている場合、以下のような制御がなされる。
この場合も、親映像のみの表示状態であり、その親映像に対応する音声信号が、前記ＷＬ音声信号としてのみ出力されるよう、音声セレクタ１０が制御される。
これにより、利用者はヘッドホン装置Ｙを用いることにより、近隣に漏れる騒音を抑えつつ、実質的に高い音量で音声を聴くことができる。特に、映画や音楽番組を高い臨場感をもって視聴したい場合等に好適である。
また、音声出力パターンとして、前記第１候補情報の第４パターンが設定されている場合、以下のような制御がなされる。
この音声出力パターンも、親映像のみの表示状態において採用されるものであるが、その親映像に対応する音声信号として、主音声信号と副音声信号とが存在する場合にのみ有効なものである。この場合、その親映像に対応する主音声信号が、前記ＳＰ音声信号として出力されると同時に、その親映像に対応する副音声信号が、前記ＷＬ音声信号として出力されるよう、音声セレクタ１０が制御される。
即ち、当該音声出力パターンが設定されている場合、制御回路８は、液晶パネル２１に表示中の親映像に対応する２つの音声信号（主音声信号と副音声信号）のうち、一方の主音声信号をスピーカ２３を通じて音声出力させるとともに、他方の副音声信号が音声変調回路１２により変調されたデジタル信号を、ＬＥＤ駆動回路１５（光デジタル信号送信手段）を通じて光送信させる（第３の音声出力制御手段の一例）。
これにより、例えば、ある１つの放送番組を視聴する際に、ある利用者は日本語の主音声を、他の利用者は英語の副音声を聴きたいというような場合に、それら複数人の利用者が一緒に当該液晶テレビＸを同時に利用できる。
【００３３】
一方、音声出力パターンとして、前記第２候補情報の第１パターンが設定されている場合、以下のような制御がなされる。
この場合、マルチ映像表示（親映像及び子映像の表示）の状態であり、その親映像に対応する音声信号のみが、前記ＳＰ音声信号としてのみ出力されるよう、音声セレクタ１０が制御される。
また、音声出力パターンとして、前記第２候補情報の第２パターンが設定されている場合、以下のような制御がなされる。
この場合、親映像に対応する音声信号が前記ＳＰ音声信号として出力され、同時に子映像に対応する音声信号が前記ＷＬ音声信号として出力されるよう、音声セレクタ１０が制御される。
即ち、制御回路８は、マルチ映像表示（前記有映像領域に複数の異なる映像が表示）がなされている場合に、その一方の親映像に対応する音声信号をスピーカ２３を通じて音声出力させるとともに、他方の子映像に対応する音声信号が音声変調回路１２により変調されたデジタル信号を、ＬＥＤ駆動回路１５（光デジタル信号送信手段）を通じて光送信させる（第２の音声出力制御手段の一例）。
これにより、当該液晶テレビＸのマルチ映像表示機能を活かし、複数人が各々異なる映像及び音声を視聴することができる。
なお、音声出力パターンとして、前記第２候補情報の第３パターン〜第５パターンの各々が設定されている場合の各制御内容は、前記第１候補情報の第２パターン〜第４パターンの各々が設定されている場合の前述した制御内容と同様である。
【００３４】
以上に示した液晶テレビＸによれば、映像が表示されないレターボックス領域を照明するＬＥＤ１４の点滅によってデジタル音声信号の光送信が行われるので、表示中の映像の画質劣化を招かない。また、利用者が集中して見る前記有映像領域については、バックライトのＬＥＤ１４が点滅しないので、利用者の目の疲れの原因にもなりにくい。しかも、このような構成の実現には、無線信号（電波や赤外線）の出力手段を新たに設ける必要がなく、既存のバックライト用のＬＥＤ１４を有効活用できる。その結果、装置の複雑化及び高コスト化や、消費電力の増大という問題の発生を回避できる。
【００３５】
前述した実施形態では、液晶パネル２１のレターボックス領域２１ｃ、２１ｄの表示色を赤色若しくは青色に設定し、その背面を照明するＬＥＤ１４も領域２１ｃ、２１ｄごとに同じ色で発光させる例について示した。この他、液晶パネル２１のレターボックス領域２１ｃ、２１ｄの表示色を赤色若しくは青色に設定し、その背面を照明するＬＥＤ１４を白色（Ｒ＋Ｇ＋Ｂ）で発光させること等も考えられる。但し、利用者に眩しさを感じさせないよにするため、レターボックス領域の表示色は、緑色或いは緑色に近い色にはしない方が望ましい。
【００３６】
また、前述した実施形態は、光送信により伝送されるデジタル信号が、音声信号が変調されたデジタル信号である場合の例であるが、他の応用例も考えられる。即ち、外部装置の制御用信号が変調されたデジタル信号を、ＬＥＤ駆動回路１５（光デジタル信号送信手段の一例）による光送信の対象とするものも考えられる。
例えば、前記液晶テレビＸにより光送信されるデジタル信号を受信する外部装置が、空気調和機（エアコン）や室内照明器具等である場合に、これらを制御する信号を光送信する液晶テレビが考えられる。
この場合、制御回路８が、映像処理回路４を制御することにより、液晶パネル２１に制御信号選択用の各種メニュー映像を表示させるとともに、リモコン７を通じて入力される情報に応じて制御信号を選択（特定）する。そして、選択された制御信号を所定の信号変調回路（不図示）により変調させ、変調後のデジタル信号に従ってＬＥＤ駆動回路１５によりレターボックス領域を照明するＬＥＤ１４を点滅させる。
一方、空気調和機や室内照明器具等からなる外部装置は、光送信されるデジタル信号を受光器により受信し、受信信号を所定の信号復調回路により元の制御信号に復調する。さらに、所定の制御回路により、復調した制御信号に従って、設定温度の変更や運転パターンの切り替え、室内照明の明るさの調節等を行う。
このような構成により、液晶パネル２１の映像表示機能を有効活用し、情報表示能力に劣る外部装置についても、操作性の高いマンマシンインターフェースを提供できる。
【産業上の利用可能性】
【００３７】
本発明は、液晶表示装置に利用可能である。
【図面の簡単な説明】
【００３８】
【図１】本発明の実施形態に係る液晶表示装置の一例である液晶テレビジョン受像機Ｘの概略構成を表すブロック図。
【図２】液晶テレビジョン受像機Ｘが備えるＬＥＤパネル（バックライトパネル）を正面から見た模式図。
【図３】液晶テレビジョン受像機Ｘから光信号を受信する外部装置の一例であるヘッドホン装置Ｙの概略構成図。
【図４】液晶テレビジョン受像機Ｘにおける音声光送信制御の手順を表すフローチャート。
【符号の説明】
【００３９】
Ｘ…液晶テレビジョン受像機（液晶テレビ）
Ｙ…ヘッドホン装置（外部装置）
１ａ、１ｂ、１ｃ…チューナ
２…外部入力部
３…映像セレクタ
４…映像処理回路
５…無映像領域検知回路
６…操作キー
７…リモコン
８…制御回路
９…リモコンインターフェース回路
１０…音声セレクタ
１１…音声処理回路
１２…音声変調回路
１３…ＬＥＤパネル（バックライト）
１４…ＬＥＤ
１５…ＬＥＤ駆動回路
１６…明るさセンサ
２１…液晶パネル
２２…アンプ
２３…スピーカ
３１Ｌ…Ｌチャンネル用受光器
３１Ｒ…Ｒチャンネル用受光器
３２…音声信号復調回路
３３…アンプ
３４Ｌ…Ｌチャンネル用スピーカ
３４Ｒ…Ｒチャンネル用スピーカ
Ｓ１、Ｓ２、・・…ステップ（処理手順）
【図１】
0004751723.tif 000002
【図２】
0004751723.tif 000003
【図３】
0004751723.tif 000004
【図４】
0004751723.tif 000005